(57)【要約】【課題】有効的に照明器具の温度を下げ、相対的に使用寿命を延ばすホルダー構造のみならず、ホルダーと基体の組み立て方法が簡単で便利である照明器具のホルダーの構造を提供する。【解決手段】  主に照明器具、ホルダー及び基体で構成された照明器具のホルダー構造であり、ホルダーは照明器具が挿設できる若干の孔を具有し、外周縁に若干の横方向掛合槽を設け、基体の外周縁に若干の孔を設け、且つ基体はホルダーを収納できる収納空間を具有し、該収納空間は相対的に該ホルダーの横方向掛合槽の内側上縁の位置に、それぞれ横方向の掛合ブロックを設け、各横方向掛合ブロックが各横方向掛合槽と掛合定置付けをする。【選択図】図１
0003149125.tif 000002
【実用新案登録請求の範囲】
【請求項１】
照明器具、ホルダー、基体を含み、
一つ以上の照明器具、及び、
ホルダーは照明器具が挿設できる若干の孔を具有し、外周縁に若干の横方向掛合槽を設け、及び、
前記基体の外周縁に若干の孔を設け、且つ該基体はホルダーを収納できる収納空間を具有し、該収納空間は相対的に該ホルダーの横方向掛合槽の内側上縁の位置に、それぞれ横方向の掛合ブロックを設け、各横方向掛合ブロックが各横方向掛合槽と掛合定置付けをすることを特徴とする照明器具のホルダー構造。
【請求項２】
前記照明器具はＵ字型蛍光ランプとすることを特徴とする請求項1記載の照明器具のホルダー構造。
【請求項３】
前記該ホルダーの外周縁の設定位置に一個以上の縦方向導入槽を設け、且つ該基体のホルダーと相対する縦方向導入槽の位置に、縦方向導入槽に滑り入る一つの導入箇所を設けることで、ホルダーを基体に設置する際、該縦方向導入槽が導入箇所によりスムーズに設置することができることを特徴とする請求項１記載の照明器具のホルダー構造。
【請求項４】
前記ホルダーの外周縁に若干のアーチ部を設け、基体はホルダーの各アーチ部の位置に対応してアーチ縁を凸設する。各アーチ縁に孔を形成することで、ホルダーを基体に設置する際、各アーチ部がそれぞれ各アーチ縁内に定置付けすることを特徴とする請求項１記載の照明器具のホルダー構造。
【請求項５】
前記基体は、収納空間と反対側に螺旋状口金を設けることを特徴とする請求項１記載の照明器具のホルダー構造。
【考案の詳細な説明】
【技術分野】
【０００１】
本考案は「照明器具のホルダー構造」に関し、特にホルダーと基体の組み合わせ定置付け方法の照明器具の構造に関する。
【背景技術】
【０００２】
図６に示すのは、従来技術の照明器具構造である。該照明器具40は主に螺旋状蛍光ランプ41を具有し、現在最も販売されている省エネランプである。しかし、該当照明器具40の蛍光ランプは暫く使用すると、ランプが発生する温度が高くなる。放熱効果が悪いだけでなく、内部の遮光が著しく、光度が足りず、全体の使用寿命が短くなりやすいなど、従来技術を改善する必要があった。
【特許文献１】特開２００３−３３１６３６号公報
【考案の開示】
【考案が解決しようとする課題】
【０００３】
前記従来技術の欠点を解決するため、本考案は有効的に照明器具の温度を下げ、相対的に使用寿命を延ばすホルダー構造を提供することを主な課題とする。
ホルダーと基体の組み立て方法が簡単なホルダー構造を提供することをもう一つの課題とする。
【課題を解決するための手段】
【０００４】
前記課題を解決するために、本考案はホルダーの構造を提供するものであり、それに含まれるのは一つ以上の照明器具、ホルダー、基体である。ホルダーは照明器具が挿設できる若干の孔を具有し、外周縁に若干の横方向掛合槽を設ける。基体の外周縁に若干の孔を設け、且つ該基体はホルダーを収納できる収納空間を具有し、該収納空間は相対的に該ホルダーの横方向掛合槽の内側上縁の位置に、それぞれ横方向の掛合ブロックを設け、各横方向掛合ブロックが各横方向掛合槽と掛合定置付けをする。
【０００５】
該ホルダーの外周縁の設定位置に一個以上の縦方向導入槽を設け、且つ該基体のホルダーと相対する縦方向導入槽の位置に、縦方向導入槽に滑り入る一つの導入箇所を設けることで、ホルダーを基体に設置する際、該縦方向導入槽が導入箇所によりスムーズに設置することができる。
【０００６】
ホルダーの外周縁に若干のアーチ部を設け、基体はホルダーの各アーチ部の位置に対応してアーチ縁を凸設する。各アーチ縁に孔を形成することで、ホルダーを基体に設置する際、各アーチ部がそれぞれ各アーチ縁内に定置付けする。該基体は、収納空間と反対側に螺旋状口金を設ける。
【０００７】
すなわち、請求項１の考案は、照明器具のホルダー構造であって、照明器具、ホルダー、基体を含み、一つ以上の照明器具、及び、ホルダーは照明器具が挿設できる若干の孔を具有し、外周縁に若干の横方向掛合槽を設け、及び、
前記基体の外周縁に若干の孔を設け、且つ該基体はホルダーを収納できる収納空間を具有し、該収納空間は相対的に該ホルダーの横方向掛合槽の内側上縁の位置に、それぞれ横方向の掛合ブロックを設け、各横方向掛合ブロックが各横方向掛合槽と掛合定置付けをすることを特徴とする。
【０００８】
請求項２の考案は、請求項１の照明器具のホルダー構造であって、前記照明器具はＵ字型蛍光ランプとすることを特徴とする。
請求項３の考案は、請求項１の照明器具のホルダー構造であって、前記該ホルダーの外周縁の設定位置に一個以上の縦方向導入槽を設け、且つ該基体のホルダーと相対する縦方向導入槽の位置に、縦方向導入槽に滑り入る一つの導入箇所を設けることで、ホルダーを基体に設置する際、該縦方向導入槽が導入箇所によりスムーズに設置することができることを特徴とする。
【０００９】
請求項４の考案は、請求項１の照明器具のホルダー構造であって、前記ホルダーの外周縁に若干のアーチ部を設け、基体はホルダーの各アーチ部の位置に対応してアーチ縁を凸設する。各アーチ縁に孔を形成することで、ホルダーを基体に設置する際、各アーチ部がそれぞれ各アーチ縁内に定置付けすることを特徴とする。
請求項５の考案は、請求項１の照明器具のホルダー構造であって、前記基体は、収納空間と反対側に螺旋状口金を設けることを特徴とする。
【考案の効果】
【００１０】
本考案の照明器具のホルダー構造によれば、照明器具のホルダーの基体の外周縁の若干の孔を設けることで、通電使用中、照明器具の発する熱を放熱するため、有効的の照明器具の温度を下げ、使用寿命が延びる。
また、ホルダーと基体にそれぞれ横方向掛合槽と横方向掛合ブロックを設けることで、全体の組み立てが簡単になる
【考案を実施するための最良の形態】
【００１１】
本考案の照明器具のホルダー構造の好適な実施例を図面に沿って説明する。
図１から図５に示すのは、本考案の実施例の照明器具のホルダー構造である。それに含まれるのは、一つ以上の照明器具10、照明器具のホルダー20、ホルダー20の基体30である。該ホルダー20は照明器具10が挿設する若干の孔21を具有し、該ホルダー20の外周縁に若干の横方向掛合槽22を設ける。基体30の外周縁に若干の孔31を設け、且つ該基体30はホルダー20を収納できる収納空間32を具有し、該収納空間32は相対的に該ホルダー20の横方向掛合槽22の内側上縁の位置に、それぞれ横方向掛合ブロック33を設け、各横方向掛合ブロック33は各横方向掛合槽22と掛合定置付けをする。
【００１２】
前記照明器具10はＵ字型蛍光ランプである。
前記ホルダー20の外周縁の設定位置に一個以上の縦方向導入槽23を設け、且つ該基体30のホルダー20と相対する縦方向導入槽23の位置に、縦方向導入槽23に滑り入る一つの導入箇所34を設けることで、ホルダー20を基体30に設置する際、該縦方向導入槽23が導入箇所34によりスムーズに設置することができる。
【００１３】
ホルダー20の外周縁に若干のアーチ部24を設け、基体30はホルダー20の各アーチ部24の位置に対応してアーチ縁35を凸設する。各アーチ縁35に孔31を形成することで、ホルダー20を基体30に設置する際、各アーチ部24がそれぞれ各アーチ縁35内に定置付けする。
該基体30は、収納空間32と反対側に螺旋状口金36を設ける。
【００１４】
図１から図５に示すように、本考案の実施例はＵ字型照明器具を使用し、該ランプの光度が均一であり、内部に遮光の問題が発生せず、全体の光度が明るい。
本考案基体30の外周縁の若干の孔31を設ける。通電使用中、照明器具10の発生する温度が基体30内部を流れるため、基体30外周縁に設置する孔31により放熱ができ(図5を参照)、有効的の照明器具10の温度を下げるだけでなく、相対的に使用寿命が延びる。
【００１５】
更に、本考案の実施例のホルダー20と基体30の結合は、主にホルダー20を基体30の収納空間32の中に入れ、ホルダー20の横方向掛合槽22に基体30の横方向掛合ブロック33を掛合定置付けするのみである。全体の組み立て方法が簡単であり、安全且つ実用性に富む。
【００１６】
以上のように、本考案の実施例の照明器具のホルダー構造は、照明器具のホルダーの基体の外周縁の若干の孔を設けることで、通電使用中、照明器具の発する熱を放熱するため、有効的の照明器具の温度を下げ、使用寿命が延び、また、ホルダーと基体にそれぞれ横方向掛合槽と横方向掛合ブロックを設けることで、全体の組み立てが簡単になる
なお、本考案の特徴を損なうものでなければ、上述の実施例の構造に限定されるものでないことは、勿論である。
【図面の簡単な説明】
【００１７】
【図１】本考案の立体外観略図である。
【図２】本考案の立体分解略図である。
【図３】本考案の組み立て側面図である。
【図４】図３の４−４の断面略図である。
【図５】本考案の実施例の使用状態略図である。
【図６】従来の照明器具の外観略図である。
【符号の説明】
【００１８】
10  照明器具
20  ホルダー
21  孔
22  横方向掛合槽
23  縦方向導入槽
24  アーチ部
30  基体
31  孔
32  収納空間
33  横方向掛合ブロック
34  導入箇所
35  アーチ縁
36  螺旋状口金
(従来技術)
40  照明器具
41  螺旋状蛍光ランプ
【図１】
0003149125.tif 000003
【図２】
0003149125.tif 000004
【図３】
0003149125.tif 000005
【図４】
0003149125.tif 000006
【図５】
0003149125.tif 000007
【図６】
0003149125.tif 000008